(57)【要約】      （修正有）【課題】地震などの所定の加速度を検知して外力を感じた時に、直ちに、構造物の変形量を測定して、構造物の耐用度を算出し、構造物の迅速かつ確実な変形量や耐用度を診断することができる方法および装置を提供する。【解決手段】構造物の必要な箇所に貼り付けられた複数のひずみゲージにより測定された変形量データをデータロガーに記録・保存すると共に、上記構造物に設置される加速度計により測定された加速度データを上記データロガーに記録・保存し、該データロガーに記録・保存された構造物の変形量に基づき該構造物の耐用度を算出して、耐震診断士により構造物の変形量や耐用度を診断する。【選択図】図２
2013002979.tif 000002
【特許請求の範囲】
【請求項１】
構造物の必要な箇所に貼り付けられた複数のひずみゲージにより測定された変形量データをデータロガーに記録・保存すると共に、上記構造物に設置される加速度計により測定された加速度データを上記データロガーに記録・保存し、該データロガーに記録・保存された構造物の変形量に基づき該構造物の耐用度を算出して、耐震診断士により構造物の変形量や耐用度を診断するようにしたことを特徴とする強い外力を受けた構造物の変形量や耐用度の診断方法。
【請求項２】
上記加速度計が、所定の加速度を検知した時、タイマーを作動させて、所定時間が経過すると、上記データロガーを停止させることを特徴とする請求項１に記載の強い外力を受けた構造物の変形量や耐用度の診断方法。
【請求項３】
構造物の必要な箇所に貼り付けられた複数のひずみゲージと、複数の該ひずみゲージに接続されたブリッジボックスと、該ブリッジボックスに接続されるひずみ測定器と、該ひずみ測定器に接続されるデータロガーと、該データロガーに接続されると共に上記構造物に設置される加速度計と、該加速度計の振動検知をトリガーとして作動し、所定時間後にデータロガーを停止させるタイマーと、から構成されることを特徴とする強い外力を受けた構造物の変形量や耐用度の診断装置。
【発明の詳細な説明】
【技術分野】
【０００１】
本発明は、建物や橋梁等の構造物、特に鉄骨（Ｓ）造、鉄骨コンクリート（ＳＣ）造あるいは鉄骨鉄筋コンクリート（ＳＲＣ）造など、鉄骨を主体とする構造物の変形・耐用診断（判定も含む）方法および装置に関する。
【背景技術】
【０００２】
例えば鉄骨造の建物は、地震などの強い外力を受けて倒壊や崩壊を免れた場合でも、その躯体である鉄骨が変形を起こす。そして、再び強い外力を受けた時、どのくらいの強さの外力で倒壊や崩壊する恐れがあるのか、その耐用度を診断あるいは判定する必要がある。
【０００３】
従来、建物の耐震診断は、専門の診断士による被災建物の目視による診断が主流であったため、特に、大規模震災などの際には、診断が大幅に遅れるため、復旧・復興が遅々として進まなかった。
【発明の概要】
【発明が解決しようとする課題】
【０００４】
本発明は、上記従来の問題点を解決するためになされたもので、その目的とするところは、地震などの所定の加速度を検知して外力を感じた時に、直ちに、構造物の変形量を測定して、構造物の耐用度を算出し、構造物の迅速かつ確実な変形量や耐用度を診断することができる方法および装置を提供することにある。
【課題を解決するための手段】
【０００５】
本発明の強い外力を受けた構造物の変形量や耐用度の診断方法は、構造物の必要な箇所に貼り付けられた複数のひずみゲージにより測定された変形量データをデータロガーに記録・保存すると共に、上記構造物に設置される加速度計により測定された加速度データを上記データロガーに記録・保存し、該データロガーに記録・保存された構造物の変形量に基づき該構造物の耐用度を算出して、耐震診断士により構造物の変形量や耐用度を診断するようにしたことを特徴とする。また、上記加速度計が、所定の加速度を検知した時、タイマーを作動させて、所定時間が経過すると、上記データロガーを停止させることを特徴とする。
【０００６】
本発明の強い外力を受けた構造物の変形量や耐用度の診断装置は、構造物の必要な箇所に貼り付けられた複数のひずみゲージと、複数の該ひずみゲージに接続されたブリッジボックスと、該ブリッジボックスに接続されるひずみ測定器と、該ひずみ測定器に接続されるデータロガーと、該データロガーに接続されると共に上記構造物に設置される加速度計と、該加速度計の振動検知をトリガーとして作動し、所定時間後にデータロガーを停止させるタイマーと、から構成されることを特徴とする。
【発明の効果】
【０００７】
本発明の強い外力を受けた構造物の変形量や耐用度の診断方法および装置は、構造物の迅速かつ確実な変形量や耐用度を診断することができる。
【図面の簡単な説明】
【０００８】
【図１】本発明の診断装置の一実施例を示す説明図である。
【図２】本発明の診断方法の一実施例を示すブロック図である。
【発明を実施するための形態】
【０００９】
以下、本発明の実施例について、図面を参照しながら説明する。
【００１０】
図１において、Ｓは構造物の躯体を構成する鉄骨であって、地盤Ｇ上に建て込まれている。従って、上記構造物の鉄骨Ｓは、地盤Ｇに伝わる地震動により強い外力を受ける。
【００１１】
１は、ひずみゲージであって、上記鉄骨Ｓの表面に強固に貼り付けられており、鉄骨Ｓが変形すると、それに応じて抵抗が変化し、その変化に応じた電気信号を発信する。該ひずみゲージ１の配置は、上記鉄骨Ｓの変形量が最も効果的に現れる箇所が好ましい。該ひずみゲージ１は、リード線２を通じてブリッジボックス３に接続されている。
【００１２】
Ａは測定装置であって、図２に示すように、ひずみ測定器４，データロガー５，加速度計６およびタイマー７から成る。測定装置Ａや上記ブリッジボックス３の設置箇所は、図示に限定するものではなく、構造物の内外を問わないが、少なくとも、測定装置Ａは、構造物の外部に設置するのが好ましい。また、上記ブリッジボックス３と上記ひずみ測定器４間は、有線または無線のいずれで繋いでもよい。
【００１３】
上記ひずみ測定器４は、上記ひずみゲージ１からの電気信号を受信して、上記鉄骨Ｓの変形量を測定する。測定された鉄骨Ｓの変形量のデータは、上記データロガー５に送られる。
【００１４】
上記データロガー５は、上記ひずみ測定器４から受信した鉄骨Ｓの変形量のデータを記録・保存する。
【００１５】
上記加速度計６は、上記構造物に設置され、地震動によって生じる加速度信号を検知して、その加速度信号を上記データロガー５に送ると共に、設定値以上の加速度を検知した時、これをトリガーとして、上記タイマー７を作動させる。
【００１６】
上記タイマー７は、所定時間が経過すると、上記データロガー５を停止させる。
【００１７】
次に、上記実施例装置による構造物の変形量や耐用度の診断方法について説明する。
まず、地震が発生して設定値以上の地震加速度になると、上記加速度計６が働いて、平常時計測中の上記データロガー５に、その加速度データを記録・保存すると共に、上記タイマー７を作動させて、上記データロガー５を一定の時間働かせて、停止させる。
【００１８】
一方、上記地震が発生すると、上記鉄骨Ｓに変形が生じ、その変形量をひずみゲージ１および上記ひずみ測定器４により測定し、その変形量データを上記データロガー５に記録・保存する。
【００１９】
上記データロガー５に記録・保存されている変形量データに基づいて、その構造物の耐用度が算出される。これらの変形量や耐用度に基づき、耐震診断士などが判断することができ、また、変形量が一定基準値を超えると、自動的に警報を発するようにすることもできる。
【符号の説明】
【００２０】
１    ひずみゲージ
２    リード線
３    ブリッジボックス
４    ひずみ測定器
５    データロガー
６    加速度計
７    タイマー
Ａ    測定装置
Ｓ    鉄骨
【図１】
2013002979.tif 000003
【図２】
2013002979.tif 000004